(57)【要約】【課題】組み付けが容易であるとともに、確実に導通を確保することができる美容器を提供する。【解決手段】美容器１は、ベース部材１１０、及び導電性を有してベース部材１１０の表側面を覆う第１表カバー１２０（表カバー部材）を有するハンドル１００と、このハンドル１００に連結されているとともに、ハンドル１００が把持された状態で使用者の肌に当接されて美容効果を付与する回転体２００（当接部）と、ベース部材１１０に組み付けられて一方の電極が第１表カバー１２０に導通し他方の電極が回転体２００に導通している電源部３００と、を備えている。ベース部材１１０には表裏方向に貫通する貫通孔１１１Ｅが形成され、第１表カバー１２０にはベース部材１１０の貫通孔１１１Ｅに表方向から挿通されたボス１２１が設けられ、電源部３００から第１表カバー１２０への通電経路はベース部材１１０の裏側面に配索されてボス１２１に接続されている。【選択図】図１６
2020099414.tif 000002
【特許請求の範囲】
【請求項１】
ベース部材、及び導電性を有して前記ベース部材の表側面を覆う表カバー部材を有しており、使用者に把持されるハンドルと、
前記ハンドルに連結されているとともに、前記ハンドルが把持された状態で使用者の肌に当接されて美容効果を付与する当接部と、
前記ベース部材に組み付けられるとともに、一方の電極が前記表カバー部材に導通し、他方の電極が前記当接部に導通している電源部と、
を備えており、
前記ベース部材には、表裏方向に貫通する貫通孔が形成されており、
前記表カバー部材には、前記ベース部材に対向する面から突出して形成され、前記貫通孔に挿通されているボスが設けられており、
前記電源部から前記表カバー部材に導通する通電経路は、前記ベース部材の裏側面に配索され、前記ベース部材の裏側面にて前記ボスに接続されていることを特徴とする美容器。
【請求項２】
前記ベース部材は、表側面に開口して前記電源部を収納する凹状の収納部を形成しており、
前記収納部の開口を液密に封止する蓋部材を備えていることを特徴とする請求項１記載の美容器。
【請求項３】
前記電源部は太陽光発電パネルを有していることを特徴とする請求項２記載の美容器。
【発明の詳細な説明】
【技術分野】
【０００１】
本発明は美容器に関するものである。
【背景技術】
【０００２】
特許文献１は従来の美容器を開示している。この美容器は、ハンドルと回転体とを備えている。ハンドルは、ハンドルベースをハンドルカバーで覆った構成とされている。回転体及びハンドルカバーには導電性の金属メッキが施されている。また、ハンドル内には太陽光発電パネルが配されている。太陽光発電パネルは、一方の電極が回転体に導通し、他方の電極がハンドルカバーに導通している。この美容器は、回転体を皮膚に当てて転がすと、マッサージ効果等の美容効果を付与することができる。また、この美容器は、ハンドルを把持し、回転体を肌に当接させることで、太陽光発電パネルによる微弱電流が回転体から皮膚へ流れ、皮膚への刺激の増進により美容効果を高めることができる。
【先行技術文献】
【特許文献】
【０００３】
【特許文献１】特開２０１７−１９２４１５号公報
【発明の概要】
【発明が解決しようとする課題】
【０００４】
特許文献１の美容器は、太陽光発電パネルとハンドルカバーとを導通するに当たり、太陽光発電パネルから引き出したリード線先端の端子をハンドルベースとハンドルカバーのボスとの間で挟み込んでいる。端子は、ハンドルベースのリード線が配索された面とは反対側の面からねじを挿通して締め込むことによって挟持される。この場合、ねじの締め込み時には、作業を行う側からは端子が確実に挟持されて導通が確保されたか否かが不明であるため、確認するためには反対側面を向けて確認しなければならず煩雑であった。
【０００５】
本発明は上記従来の事情に鑑みてなされたものであって、組み付けが容易であるとともに、確実に導通を確保することができる美容器を提供することを解決すべき課題としている。
【課題を解決するための手段】
【０００６】
本発明の美容器は、ベース部材、及び導電性を有して前記ベース部材の表側面を覆う表カバー部材を有しており、使用者に把持されるハンドルと、
前記ハンドルに連結されているとともに、前記ハンドルが把持された状態で使用者の肌に当接されて美容効果を付与する当接部と、
前記ベース部材に組み付けられるとともに、一方の電極が前記表カバー部材に導通し、他方の電極が前記当接部に導通している電源部と、
を備えており、
前記ベース部材には、表側面から裏側面に貫通する貫通孔が形成されており、
前記表カバー部材には、前記ベース部材に対向する面から突出して形成され、前記貫通孔に挿通されているボスが設けられており、
前記電極から前記表カバー部材に導通する通電経路は、前記ベース部材の裏側面に配索され、前記ベース部材の裏側面にて前記ボスに接続されていることを特徴とする。
【０００７】
この美容器は、表カバー部材のボスがベース部材の貫通孔を貫通している。そして、電極からの通電経路は、ベース部材の裏側面に配索されてベース部材の裏側面にてボスに接続されている。このため、表カバー部材のボスへの通電経路の接続は、通電経路が配索されているベース部材の裏方向から容易に行うことができる。また、導通の確保の有無は、表カバー部材の表方向から確認することなく、ボスへの通電経路の接続時に作業方向である裏方向から容易に確認することができる。
【０００８】
したがって、本発明の美容器は、組み付けが容易であるとともに、確実に導通を確保することができる。
【図面の簡単な説明】
【０００９】
【図１】実施例１に係る美容器の表側面を示す図である。
【図２】実施例１に係る美容器を示す側面図である。
【図３】図２のＩＩＩ−ＩＩＩ矢視を示す図である。
【図４】図１のＩＶ−ＩＶ線断面を示す図である。
【図５】実施例１に係る美容器を示す分解斜視図である。
【図６】実施例１に係るベース部材の表側面を示す図である。
【図７】実施例１に係るベース部材の裏側面が表れた斜視図である。
【図８】実施例１に係るベース部材と、このベース部材にインサート成形される支持軸等を示す分解斜視図である。
【図９】図１のＩＸ−ＩＸ線断面を示す図である。
【図１０】実施例１に係る第１表カバーの内面（裏側面）を示す図である。
【図１１】実施例１に係る第２表カバーの外面（表側面）を示す図である。
【図１２】実施例１に係る第２表カバーの内面（裏側面）を示す図である。
【図１３】実施例１に係る裏カバーの外面（裏側面）を示す図である。
【図１４】実施例１に係る裏カバーの内面（表側面）を示す図である。
【図１５】実施例１に係るレンズを示す斜視図である。
【図１６】図４の要部拡大図である。
【図１７】実施例１に係る電源部を示す斜視図である。
【図１８】図４の要部拡大図である。
【発明を実施するための形態】
【００１０】
本発明における好ましい実施の形態を説明する。
【００１１】
本発明の美容器において、前記ベース部材は、表側面に開口して前記電源部を収納する凹状の収納部を形成し得る。そして、前記収納部の開口を液密に封止する蓋部材を備え得る。この場合、表カバー部材とは別に蓋部材を備えたことにより、表カバー部材の組み付け前に、電源部が収納された収納部内の防水性を確保することができる。
【００１２】
本発明の美容器において、前記電源部は太陽光発電パネルを有し得る。この場合、電源部が電池等である場合とは異なり交換が不要であるので、最初の組み付け時に確保した収納部内の防水性を保持することができる。
【００１３】
次に、本発明の美容器を具体化した実施例１について、図面を参照しつつ説明する。
なお、以下の説明では、美容器における使用者の肌に向けられる側（図２の下側）を裏側、その反対側のレンズが露出する側（図２の上側）を表側として説明する。また、各部材において、美容器の中心方向を向く面を内面、その反対方向の美容器の外方向を向く面を外面として説明する。
【００１４】
＜実施例１＞
実施例１の美容器１は、図１〜図５に示すように、ハンドル１００、回転体２００（本発明に係る当接部として例示する）、及び電源部３００を備えている。
【００１５】
ハンドル１００は、美容器１の使用時に使用者に把持される部位である。図１及び図２に示すように、ハンドル１００は、全体として一方の方向に長い形状をなすとともに、長手方向の一端部において二股に分岐しており、表裏の方向から見て略Ｙ字形状をなしている。ハンドル１００は、形状的には、二股に分かれた一対の分岐部１０１と、各分岐部１０１の分岐点から一方方向に延びる本体部１０３とを有している。
【００１６】
一対の分岐部１０１は、図１及び図２に示すように、本体部１０３の長手方向一端から先拡がり状に分岐している。また、各分岐部１０１は、裏方向に斜めに延びている。図３に示すように、各分岐部１０１は、本体部１０３から所定長さＬで延伸して形成されている。これら一対の分岐部１０１は、その間に凹状に窪んだ逃がし空間１０５を形成している。逃がし空間１０５の深さＤは、後述する一対の回転体２００の外周面の最狭部の間隔Ｗの１．５倍以上が確保されている。また、各分岐部１０１の先端には、後述する一対の支持軸３０のそれぞれが分岐部１０１の延伸方向に沿って突出して延びて配されている（図６、図７等参照）。
【００１７】
図１に示すように、本体部１０３は、長手方向の中央部において最も幅広であり、長手方向の両端部に向かうにつれて幅狭となっている。また、図２に示すように、本体部１０３は、長手方向における一端から他端に向かって裏方向に緩やかに湾曲して形成されている。ハンドル１００は、このような形態の本体部１０３と分岐部１０１とによって、図２に示すように全体として側面視アーチ状をなしており、裏面側を向けてテーブル等の平坦面に載置した際には、一端側の一対の回転体２００の外周面と、他端側のハンドル１００の裏側面とが３点で当接して安定的に載置される。
【００１８】
図４及び図５に示すように、ハンドル１００は、部品構成的には、ベース部材１１０と、第１表カバー１２０（本発明に係る表カバー部材として例示する）と、第２表カバー１３０と、裏カバー１４０と、レンズ１５０（本発明に係る蓋部材として例示する）と、化粧板１６０とを有して構成されている。ベース部材１１０は、第１表カバー１２０、第２表カバー１３０、裏カバー１４０、レンズ１５０、及び化粧板１６０によって外周面の略全体を覆われている。
【００１９】
ベース部材１１０はＡＢＳ樹脂製である。ベース部材１１０は、本体部１０３の内部構造となる基部１１１を主体として形成されている。図６及び図７に示すように、基部１１１は、本体部１０３と同様に、長手方向両端部に向かって先細りする形態で形成されているとともに、長手方向における一端から他端に向かって裏側の方向に緩やかに湾曲して形成されている。基部１１１の長手方向の一端からは、一対の分岐部１０１の内部構造となる一対の軸支持部１１２が二股状に分岐して形成されている。
【００２０】
図６に示すように、基部１１１の表側中央部には収納部１１３が形成されている。収納部１１３は、基部１１１の表側に開口して裏方向に凹状に窪んで形成されている。収納部１１３は表方向から見て略矩形状の平面形状をなして開口している。本実施例において、収納部１１３には後述する電源部３００が収納される（図４、図５等参照）。収納部１１３の開口周縁には溝部１１４が形成されている。溝部１１４は、収納部１１３の開口周縁に沿って収納部１１３を囲う形態で、略矩形状に形成されている。溝部１１４には収納部１１３内を液密に保持するための第１パッキンＰ１が嵌め込まれる。基部１１１の収納部１１３が開口する面は平坦面１１３Ａとして形成されている。溝部１１４は、収納部１１３と同様に、この平坦面１１３Ａ内に開口して形成されている。また、平坦面１１３Ａには、レンズ１５０を固定するための係合孔Ｌ１が形成されている。図６及び図８に示すように、平坦面１１３Ａ上の係合孔Ｌ１は、収納部１１３及び溝部１１４を短手方向に挟んで一対形成されている。
【００２１】
図６に示すように、収納部１１３の底壁の長手方向中央部には凹部１１３Ｂが形成されている。凹部１１３Ｂは電源部３００の後述する端子押さえ部材３０２のボス３０２Ａが挿入される。凹部１１３Ｂの底壁には貫通孔Ｔ４が表裏方向に貫通して形成されている。また、収納部１１３の長手方向の軸支持部１１２側とは反対側の底壁には第１通電用孔Ｈ１が形成されている。第１通電用孔Ｈ１は、収納部１１３の底壁から裏方向に貫通して形成されている。第１通電用孔Ｈ１には、後述する第１通電用ねじＳ１が裏方向から螺合される。更に、収納部１１３の長手方向の軸支持部１１２側の底壁には、インサート成形された後述する通電軸３１の外周面の一部が露出している。
【００２２】
また、図６に示すように、基部１１１の表側の周縁部には複数の係合凹部１１１Ａ，１１１Ｂ，１１１Ｃ，１１１Ｄが形成されている。複数の係合凹部１１１Ａ，１１１Ｂ，１１１Ｃ，１１１Ｄのうち、係合凹部１１１Ａ，１１１Ｂには、レンズ１５０側に形成された係合凸部１５２及び嵌合凸部１５３がそれぞれ係合し、係合凹部１１１Ｃ，１１１Ｄには第２表カバー１３０側に形成された係合凸部１３４及びボス１３５が係合する。係合凹部１１１Ａの底部には、レンズ１５０を固定するための固定部材Ｆ１が係合される係合孔Ｌ１が形成されている。係合凹部１１１Ｃ，１１１Ｄの底部には、第１表カバー１２０及び第２表カバー１３０を固定するための固定部材Ｆ２が挿通される貫通孔Ｔ２が形成されている。更に、図４及び図６に示すように、基部１１１の表側の軸支持部１１２とは反対側の端部には係合爪１１５が形成されている。係合爪１１５には、第２表カバー１３０側に形成された係合孔１３０Ｃに係合する。また、図４及び図７に示すように、基部１１１には貫通孔１１１Ｅが形成されている。貫通孔１１１Ｅは、基部１１１の表裏方向に貫通して形成されている。貫通孔１１１Ｅには後述する第１表カバー１２０のボス１２１が挿通される。
なお、本実施例において、上述の固定部材Ｆ１，Ｆ２や、後述する固定部材Ｆ３，Ｆ４として、それぞれねじを用いている。すなわち、ねじである固定部材Ｆ１〜Ｆ４は、係合孔Ｌ１〜Ｌ４にそれぞれ螺合して各部材を固定する。
【００２３】
図７に示すように、基部１１１の裏側には肉抜き凹部１１１Ｆ、肉抜き溝部１１１Ｇ、複数の係止凹部１１１Ｈ、及び係合凹部１１１Ｊが形成されている。肉抜き凹部１１１Ｆ及び肉抜き溝部１１１Ｇは、ベース部材１１０を射出成形によって形成する際のヒケ防止空間として形成されている。また、図４に示すように、肉抜き凹部１１１Ｆは、後述する板金部材１７０が配される空間として利用され、電源部３００から第１表カバー１２０への導通経路が形成される。さらに、肉抜き凹部１１１Ｆには、組み付け時には、後述する栓部材１８０が嵌め込まれる。
【００２４】
複数の係止凹部１１１Ｈは、基部１１１の外面に形成された複数の係合凹部１１１Ｃ，１１１Ｄのそれぞれに対応して形成されており、係合凹部１１１Ｃ，１１１Ｄのそれぞれに貫通する貫通孔Ｔ２が形成されている。各係止凹部１１１Ｈには、第１表カバー１２０及び第２表カバー１３０を固定する際に固定部材Ｆ２が配される。係合凹部１１１Ｊは、二股に分岐する一対の軸支持部１１２の基端部に形成されている。この係合凹部１１１Ｊには、後述する裏カバー１４０のボス１４４が係合するとともに、裏カバー１４０側から挿入される固定部材Ｆ３が係合する係合孔Ｌ３が形成されている。
【００２５】
また、図６及び図７に示すように、ベース部材１１０の外周面には複数のリブ１１６が形成されている。複数のリブ１１６は、外周面から突出する形態でベース部材１１０に一体に設けられている。各リブ１１６は、ベース部材１１０の略長手方向に沿いつつ、幅方向へ適当な間隔をおいて配されている。各リブ１１６は、組み付けられた状態で第２表カバー１３０及び裏カバー１４０の内面に線当たりした状態となり、ベース部材１１０と、第２表カバー１３０及び裏カバー１４０と、の間の軋み音の発生が抑制される。
【００２６】
また、図７に示すように、肉抜き凹部１１１Ｆの底壁には、ボス１１７が突出して形成されている。ボス１１７には係合孔Ｌ３が形成されている。ボス１１７は、組み付け状態において後述する裏カバー１４０のボス１４５に突き合わせられるとともに、裏カバー１４０側から挿通された固定部材Ｆ３が係合孔Ｌ３に係合する。更に、肉抜き凹部１１１Ｆの底壁には、表側の収納部１１３から貫通して形成された第１通電用孔Ｈ１が形成されている。
【００２７】
図６及び図７に示すように、一対の軸支持部１１２の先端には一対の支持軸３０が突出して先拡がり状に延びている。図８に示すように、各支持軸３０は円柱状をなしている。支持軸３０の先端部には、後述する与圧Ｃリング２０９及びＥリングＥを嵌合するように周方向に一周する溝部３０Ａが形成されている。支持軸３０の基端部には、円柱状をなす支持軸３０の外径よりも拡径して形成された拡径部３０Ｂが形成されている。また、各支持軸３０の基端部には、支持軸３０の外径よりも小さい外径の円柱状の通電軸３１が一体的に形成されている。各通電軸３１は中間部の２か所で屈曲している。各支持軸３０と各通電軸３１はステンレス製である。
【００２８】
各通電軸３１には、図８及び図９に示すように、ニトリルゴム製のＯリング３２が挿通されている。また、各通電軸３１はＡＢＳ樹脂製のＯリングカバー３３が挿通されている。各Ｏリングカバー３３は、図８に示すように、筒状であり、貫通孔３３Ａの内径が２段階に変化している。つまり、各Ｏリングカバー３３は、貫通孔３３Ａの先端側の内径が支持軸３０の基端部の外径よりも僅かに大きく、その部分の貫通孔３３Ａ内にＯリング３２と支持軸３０の基端部の一部を収納している。また、各Ｏリングカバー３３は貫通孔３３Ａの一端側の内径が通電軸３１の外形よりも僅かに大きく通電軸３１を挿通している。
【００２９】
支持軸３０、通電軸３１、Ｏリング３２、及びＯリングカバー３３は、通電軸３１にＯリング３２を挿通した状態で、通電軸３１にＯリングカバー３３を挿通し、Ｏリングカバー３３の貫通孔３３Ａに支持軸３０の基端部の一部を収納する。すると、支持軸３０の基端部とＯリングカバー３３の先端側の貫通孔３３Ａとで形成された空間内にＯリング３２が収納された状態になる。この状態で、図９に示すように、支持軸３０の先端部がベース部材１１０の軸支持部１１２の先端面に露出し、かつ、通電軸３１の基端部の一部がベース部材１１０の基部１１１に形成された収納部１１３内に露出するように、ベース部材１１０を成形する金型内に配置し、ＡＢＳ樹脂を金型内に注入してベース部材１１０を成形する。つまり、支持軸３０、通電軸３１、Ｏリング３２、及びＯリングカバー３３は、インサート成形によって、ベース部材１１０に一体化されている。通電軸３１に挿通したＯリング３２によって、支持軸３０の先端部が露出しているベース部材１１０の軸支持部１１２の先端から支持軸３０及び通電軸３１の外周面を伝って収納部１１３に水が浸入することを防止することができる。また、支持軸３０、通電軸３１、Ｏリング３２、及びＯリングカバー３３をインサート成形するために設けられた通電軸３１が露出する凹部１１１Ｋにエラストマー製の防水栓４を嵌め込むことによって、この凹部１１１Ｋから通電軸３１の外周面を伝って収納部１１３に水が浸入することを防止している。
【００３０】
第１表カバー１２０は、導電性を有してベース部材１１０の表側の面を覆う。本実施例において、第１表カバー１２０はＡＢＳ樹脂製であり、外面及び内面の略全体に金属メッキが施されていることにより導電性を有する。図１０に示すように、第１表カバー１２０は、表裏方向から見て、一端側にレンズ１５０が露出するＶ字状の開口部１２０Ａが形成された略Ｖ字形状をなしている。また、第１表カバー１２０は、全体として、中央部から外周方向に向かうにつれて裏方向に湾曲して形成されている（図５参照）。第１表カバー１２０は、ベース部材１１０の表側面のうち、軸支持部１１２側とは反対の端部側の過半を覆う。
【００３１】
第１表カバー１２０の裏側面（組み付け時にベース部材１１０と対向する面）には、通電用のボス１２１と、複数の固定用のボス１２２と、が突出して形成されている。ボス１２１は第１表カバー１２０内外面の金属メッキに連続して形成された金属メッキがその全体に施されている。ボス１２１には第２通電用ねじＳ２が螺合する第２通電用孔Ｈ２が形成されている。ボス１２１は、組み付け時には、ベース部材１１０の裏側面に配された板金部材１７０を介して、電源部３００の一方の電極に導通する（図１６参照）。ボス１２２は、第２表カバー１３０に形成された後述する１３２Ｂに挿入される。また、各ボス１２２には、固定部材Ｆ２が係合される係合孔Ｌ２が形成されている。
【００３２】
第２表カバー１３０はベース部材１１０の表側の面を覆う。第２表カバー１３０はＡＢＳ樹脂製である。図１１及び図１２に示すように、第２表カバー１３０は、表裏方向から見て、一端側にレンズ１５０が露出するＶ字状の開口部１３０Ａが形成された略Ｖ字形状をなしている。開口部１３０Ａの長手方向中央部には一対の切欠部１３０Ｂが形成されている。各切欠部１３０Ｂは、開口部１３０Ａをその内周から短手方向に切り欠いて形成されている。これにより、レンズ１５０をベース部材１１０に組み付けた際に突出する固定部材Ｆ１の逃がし空間を形成している。更に、第２表カバー１３０の長手方向の他方の端部（Ｖ字状をなす第２表カバー１３０の長手方向の開口とは反対側の端部）には、表裏方向に貫通する係合孔１３０Ｃと、長手方向の一端側に向かって延びる係合片１３０Ｄと、が形成されている。係合孔１３０Ｃには、ベース部材１１０の基部１１１に形成された係合爪１１５が係合する。係合片１３０Ｄは、裏カバー１４０に形成された後述する係合爪１４３と係合する。
【００３３】
図１１及び図１２に示すように、第２表カバー１３０は、露出部１３１と、被覆部１３２と、挿入部１３３と、係合凸部１３４と、ボス１３５と、係合リブ１３６と、を有して構成されている。露出部１３１は、組み付け状態でベース部材１１０の軸支持部１１２、及び基部１１１の軸支持部１１２側の端部を覆う。図１１に示すように、露出部１３１は、開口部１３０Ａによって短手方向に分割された形態とされている。露出部１３１の表側面は、組み付けられた状態において外部に露出する。露出部１３１の表側面にはウレタン塗装が施されており、外観が良好である。
【００３４】
被覆部１３２は、基部１１１の軸支持部１１２とは反対の端部側を覆う。被覆部１３２の表側面は、組み付けられた状態において第１表カバー１２０によって覆われる。すなわち、第１表カバー１２０は、第２表カバー１３０の被覆部１３２を介してベース部材１１０を覆う。図１１に示すように、被覆部１３２の表側の面には、貫通孔１３２Ａと、複数の係合凹部１３２Ｂと、複数のリブ１３２Ｃと、が形成されている。貫通孔１３２Ａは、第１表カバー１２０の通電用のボス１２１が挿通される。複数の係合凹部１３２Ｂには、第１表カバー１２０の複数のボス１２２が係合する。各係合凹部１３２Ｂには固定部材Ｆ２が挿通される貫通孔Ｔ２が内面（組み付け時にベース部材１１０に対向する面）側に貫通して形成されている。複数のリブ１３２Ｃは、被覆部１３２の外面（表側となる面）から一体に突出して設けられている。各リブ１３２Ｃは、被覆部１３２の略長手方向に沿いつつ、幅方向へ適当な間隔をおいて配されている。各リブ１３２Ｃは、組み付けられた状態において第１表カバー１２０の内面に当接する。各リブ１３２Ｃは、組み付けられた状態で第１表カバー１２０の内面に線当たりした状態となり、第２表カバー１３０と第１表カバー１２０との間の軋み音の発生が抑制される。
【００３５】
挿入部１３３は、露出部１３１の軸支持部１１２側に相当する部位の先端部に設けられている。挿入部１３３は、図９に示すように、組み付けられた状態において回転体２００に挿入される。係合凸部１３４及びボス１３５は、第２表カバー１３０の内面から突出してそれぞれ形成されている。係合凸部１３４及びボス１３５はそれぞれ複数設けられており、組み付けられた際にベース部材１１０の基部１１１に形成された複数の係合凹部１１１Ｃ，１１１Ｄにそれぞれ係合する。各係合凸部１３４には固定部材Ｆ２が挿通される貫通孔Ｔ２が形成されている。各ボス１３５には、固定部材Ｆ２が係合される係合孔Ｌ２が形成されている。
【００３６】
係合リブ１３６は、開口部１３０Ａの周縁から裏方向に突出して設けられている。図１２に示すように、係合リブ１３６は一対設けられている。一対の係合リブ１３６は、組み付けられた際にレンズ１５０の後述する係合リブ１５５に係合することで、二股に分岐した露出部１３１の先端側の開きを防止する。
【００３７】
裏カバー１４０は、ベース部材１１０の裏側の面を覆う。裏カバー１４０はＡＢＳ樹脂製である。また、裏カバー１４０の外面（美容器１の裏側面となる面）にはウレタン塗装が施されており、外観が良好である。図１３及び図１４に示すように、裏カバー１４０は、ベース部材１１０と同様に、表裏方向から見て略Ｙ字形状をなしている。裏カバー１４０は、ベース部材１１０の基部１１１及び軸支持部１１２の裏側面の略全体を覆う。図１３に示すように、裏カバー１４０の外面には凹状に窪んだ窪み部１４１が形成されている。窪み部１４１の底面には係止凹部１４１Ａ，１４１Ｂが形成されている。各係止凹部１４１Ａ，１４１Ｂの底部には、ベース部材１１０との固定用の固定部材Ｆ３が挿入される貫通孔Ｔ３が内面側に貫通して形成されている。窪み部１４１には、組み付け状態において、後述する化粧板１６０が嵌め込まれる。この化粧板１６０を窪み部１４１に嵌め込むことにより、裏カバー１４０とベース部材１１０との固定に用いられる固定部材Ｆ３が隠蔽される。また、窪み部１４１の底面には、化粧板１６０の係合突起１６１，１６２，１６３が係合する係合孔１４１Ｃ，１４１Ｄ，１４１Ｅが形成されている。各係合孔１４１Ｃ，１４１Ｄ，１４１Ｅは、図１３及び図１４に示すように、それぞれ内面側に貫通して形成されている。
【００３８】
図１３及び図１４に示すように、裏カバー１４０の軸支持部１１２側に相当する部位の先端部には、組み付けられた状態において回転体２００に挿入される挿入部１４２が形成されている。挿入部１４２は、組み付け時には、第２表カバー１３０側の挿入部１３３と合わせられて軸支持部１１２を覆う。また、図９に示すように、挿入部１４２は、第２表カバー１３０の挿入部１３３と合わせられた状態でリング部材７１が嵌着される。このリング部材７１が嵌着されることで、挿入部１３３，１４２の開きが防止されるとともに、挿入部１３３，１４２が締め付けられてがたつきが規制される。
【００３９】
図１４に示すように、裏カバー１４０は係合爪１４３を有している。係合爪１４３は、裏カバー１４０の内面であって、軸支持部１１２側となる端部とは反対側の端部に形成されている。係合爪１４３は、図４に示すように、組み付けられた状態において第２表カバー１３０に設けられた係合片１３０Ｄと係合する。また、裏カバー１４０の内面には、ボス１４４，１４５が突出して形成されている。各ボス１４４，１４５は、外面側の各係止凹部１４１Ａ，１４１Ｂ（図１３参照）に対応して形成されており、貫通孔Ｔ３が貫通している。ボス１４４は、ベース部材１１０の係合凹部１１１Ｊに係合する。ボス１４５は、組み付け状態においてベース部材１１０の肉抜き凹部１１１Ｆに形成されたボス１１７に突き合わせられる。
【００４０】
レンズ１５０は透明なアクリル樹脂製である。図１５に示すように、レンズ１５０は、全体として一方の方向に長い形状をなすとともに、長手方向の一端部側が裏方向に湾曲する形状をなしている。レンズ１５０は、レンズ本体１５１と、複数（図１５中３つ）の係合凸部１５２と、一対の嵌合凸部１５３と、一対のフランジ部１５４と、一対の係合リブ１５５と、を有して構成されている。レンズ本体１５１は、一方の方向に長い平板状をなした平板状部１５１Ａと、この平板状部１５１Ａから偏平な楕円状の平面形状をなして突出する凸部１５１Ｂと、を有した形状をなしている。また、レンズ本体１５１の長手方向の一端には、平板状部１５１Ａ及び凸部１５１Ｂから長手方向に連続して延びるとともに平板状部１５１Ａ側に湾曲する形態で形成された湾曲部１５１Ｃが形成されている。
【００４１】
レンズ１５０は、組み付け時には、平板状部１５１Ａがベース部材１１０の平坦面１１３Ａと対向するとともに、凸部１５１Ｂが第１表カバー１２０及び第２表カバー１３０の各開口部１２０Ａ，１３０Ａから外面に露出する。また、レンズ１５０は、組み付け時には、平板状部１５１Ａが平坦面１１３Ａの溝部１１４に嵌め込まれた第１パッキンＰ１に液密に当接する。これにより、レンズ１５０は、本発明に係る蓋部材として機能する。すなわち、本実施例のレンズ１５０は、収納部１１３の開口を液密に封止する。
【００４２】
図１５に示すように、係合凸部１５２は複数設けられている。係合凸部１５２は、湾曲部１５１Ｃの基端部、及びレンズ本体１５１の湾曲部１５１Ｃとは反対側の端部に形成されている。係合凸部１５２は、レンズ本体１５１の平板状部１５１Ａから外周方向に突出するとともに、平板状部１５１Ａの裏側面から更に裏方向に突出する形態で形成されている。各係合凸部１５２は、組み付け時には、図６に示すベース部材１１０側の各係合凹部１１１Ａにそれぞれ係合する。各係合凸部１５２には貫通孔Ｔ２が形成されている。貫通孔Ｔ１には、組み付け時には、レンズ１５０をベース部材１１０に固定するための固定部材Ｆ１が挿通される。
【００４３】
図１５に示すように、嵌合凸部１５３は、レンズ本体１５１の湾曲部１５１Ｃ先端部に、短手方向に沿って並んで一対設けられている。各嵌合凸部１５３は、湾曲部１５１Ｃから裏方向に突出する形態で形成されている。各嵌合凸部１５３は、組み付け時には、図６に示すベース部材１１０側の係合凹部１１１Ｂにそれぞれ係合する。
【００４４】
フランジ部１５４は、レンズ本体１５１の短手方向に並んで一対設けられている。各フランジ部１５４は、レンズ本体１５１の平板状部１５１Ａの短手方向の端部から外方向に突出する形態で設けられている。これらフランジ部１５４は、組み付け時には、図６に示すベース部材１１０側の平坦面１１３Ａ上に配される。各フランジ部１５４には、係合凸部１５２と同様に、貫通孔Ｔ２が形成されている。貫通孔Ｔ１には、組み付け時には、レンズ１５０をベース部材１１０に固定するための固定部材Ｆ１が挿通される。
【００４５】
図１５に示すように、係合リブ１５５は、レンズ本体１５１の湾曲部１５１Ｃ側の端部寄りの位置に一対設けられている。各係合リブ１５５は、凸部１５１Ｂを挟んで平板状部１５１Ａから立ち上がる形態で設けられている。これら係合リブ１５５は、組み付け時には、図１２に示す第２表カバー１３０側の係合リブ１３６と係合する。
【００４６】
また、レンズ１５０は、固定部材Ｆ２による固定に加えて、両面テープ１５６による粘着によって、ベース部材１１０に組み付けられる。両面テープ１５６は、図５に示すように、湾曲部１５１Ｃの裏面とベース部材１１０との間に貼着される。
【００４７】
図５に示すように、化粧板１６０は、上述した裏カバー１４０の窪み部１４１に嵌め込まれる。化粧板１６０は、図１３に示す窪み部１４１の底面に形成された係合孔１４１Ｃ，１４１Ｄ，１４１Ｅにそれぞれ係合する係合突起１６１，１６２，１６３を有している。化粧板１６０は、組み付け時には、スナップフィット構造をなす係合突起１６３が係合孔１４１Ｅに係合し、係合突起１６１，１６２が係合孔１４１Ｃ，１４１Ｄにそれぞれ係合する。化粧板１６０は、これら係合突起１６１，１６２，１６３の係合に加えて、図５に示すように、両面テープ１６４による粘着によって、裏カバー１４０に組み付けられる。
【００４８】
上述のように、板金部材１７０は、ベース部材１１０の裏側面の肉抜き凹部１１１Ｆに配される。板金部材１７０は金属製で導電性を有しており、本発明に係る通電経路を形成する。図５に示すように、板金部材１７０は、肉抜き凹部１１１Ｆの底壁形状に合わせてクランク状に屈折して形成されている。板金部材１７０は、３つの係合孔１７０Ａ，１７０Ｂ，１７０Ｃを形成している。図１６に示すように、板金部材１７０は、中間部の係合孔１７０Ｂにボス１１７を挿通し、両端部の係合孔１７０Ａ，１７０Ｃに第１及び第２通電用ねじＳ１，Ｓ２を挿通した状態で肉抜き凹部１１１Ｆの底壁に固定される。
【００４９】
第１通電用ねじＳ１は、板金部材１７０の係合孔１７０Ａに挿通されて第１通電用孔Ｈ１に螺合することによって板金部材１７０との電気的導通を確保するとともに、板金部材１７０の一端を肉抜き凹部１１１Ｆの底壁に固定する。また、第１通電用ねじＳ１は、締結状態において収納部１１３の底壁から突出する。これにより、第１通電用ねじＳ１は、その先端部が収納部１１３内の電源部３００の後述する第２端子３０７に当接して電気的導通を確保する。すなわち、第１通電用ねじＳ１を締結することによって、板金部材１７０の電源部３００の他方の電極との導通が確保される。また、第１通電用ねじＳ１の軸部には第３パッキンＰ３が外嵌されている。この第３パッキンＰ３によって、第１通電用ねじＳ１の締結状態において第１通電用孔Ｈ１から収納部１１３内への水の浸入を防止する。
【００５０】
第２通電用ねじＳ２は、板金部材１７０の係合孔１７０Ｃに挿通されて第２通電用孔Ｈ２に螺合することによって、板金部材１７０の他端を通電用のボス１２１に固定する。図１６に示すように、ボス１２１は、ベース部材１１０の貫通孔１１１Ｅに挿通されており、第２通電用ねじＳ２が締結されることによって板金部材１７０の他端が通電用のボス１２１の端面に当接された状態で固定され、電気的導通が確保される。
【００５１】
栓部材１８０はエラストマー製であり、肉抜き凹部１１１Ｆの空間の略全体を埋めている。これにより、ハンドル１００内の水の浸入し得る空間を減じている。また、栓部材１８０は、組み付け時には、肉抜き凹部１１１Ｆの内壁面と裏カバー１４０の内面とに当接している。これにより、ＡＢＳ樹脂製のベース部材１１０と裏カバー１４０とが直接当接し合う面積が減じられ、軋み音の発生が抑制される。
【００５２】
回転体２００は本発明に係る当接部として機能する。すなわち、回転体２００は、ハンドル１００に連結されているとともに、ハンドル１００が把持された状態で使用者の肌に当接されて美容効果を付与する。本実施例において、当接部としての回転体２００は一対設けられており、ハンドル１００の各分岐部１０１の先端のそれぞれに連結されている。詳細には、一対の回転体２００は、各分岐部１０１の先端から突出する支持軸３０に回転自在に支持されている。
【００５３】
回転体２００は、図９に示すように、外殻部２０１と、先端側コア部２０３、及び基端側コア部２０５を有している。外殻部２０１は外形が略球状の中空体である。外殻部２０１は、ハンドル１００の分岐部１０１の先端部及び支持軸３０を挿入する開口が形成されている。外殻部２０１は、ＡＢＳ樹脂製であり、表裏面全体にプラチナメッキを施している。外殻部２０１は外周面にダイヤカットを施している。外殻部２０１は、先端側コア部２０３を先端側に収納し、基端側コア部２０５を先端側コア部２０３の基端面に当接するように、内部に収納している。先端側コア部２０３は後述する軸受部材２０８の先端部を収納する凹部２０３Ａを形成している。基端側コア部２０５は軸受部材２０８を挿通する貫通孔２０５Ａを形成している。基端側コア部２０５は貫通孔２０５Ａの内周面から内側に突出する係止部２０５Ｂが設けられている。基端側コア部２０５の係止部２０５Ｂは、前面に軸受部材２０８の外周面に設けられた爪部２０８Ａが係止し、後面に軸受部材２０８の基端部に設けられた鍔部２０８Ｂが係止する。基端側コア部２０５は基端部の表面が外殻部２０１の裏面に当接している。先端側コア部２０３と基端側コア部２０５はＡＢＳ樹脂製であり表面全体にプラチナメッキをしている。このように、外殻部２０１、先端側コア部２０３、及び基端側コア部２０５のそれぞれがプラチナメッキされており、外殻部２０１と基端側コア部２０５が当接し、基端側コア部２０５と先端側コア部２０３が当接しているため、外殻部２０１、先端側コア部２０３、及び基端側コア部２０５は電気的に導通している。
【００５４】
各回転体２００は、図９に示すように、軸受部材２０８を介して支持軸３０に回転自在に支持されている。軸受部材２０８は略筒状である。軸受部材２０８は外周面に突出した一対の爪部２０８Ａを有している。この一対の爪部２０８Ａは、軸受部材２０８の外周面の１８０度ずれた位置に設けられている。軸受部材２０８は基端部の外周縁から外側に延びる鍔部２０８Ｂを有している。軸受部材２０８は、軸方向に貫通する貫通孔２０８Ｃを形成しており、支持軸３０の先端部はこの貫通孔２０８Ｃに挿通されている。具体的には、軸受部材２０８は、支持軸３０の先端が突出する形態で、支持軸３０の先端を挿通している。軸受部材２０８から突出した支持軸３０の先端に形成された溝部３０Ａにポリアセタール樹脂製の与圧Ｃリング２０９及び金属製のＥリングＥが嵌合し、軸受部材２０８は支持軸３０に回転自在に取り付けられている。軸受部材２０８は導電性を有するポリアセタール樹脂製である。このため、軸受部材２０８の内周面に当接する支持軸３０の外周面とは電気的に導通している。
【００５５】
回転体２００は外殻部２０１の開口から軸受部材２０８を回転自在に取り付けられた支持軸３０を挿入する。すると、軸受部材２０８の外周面に突出した一対の爪部２０８Ａは、基端側コア部２０５の係止部２０５Ｂを通過する際、軸受部材２０８内に押し込まれ、基端側コア部２０５の係止部２０５Ｂを通過すると、軸受部材２０８の外周面に突出した状態になり、基端側コア部２０５の係止部２０５Ｂの前面に係止する。また、軸受部材２０８の爪部２０８Ａが基端側コア部２０５の係止部２０５Ｂの前面に係止するとともに、基端側コア部２０５の係止部２０５Ｂの後面に軸受部材２０８の鍔部２０８Ｂが係止する。このようにして、一対の回転体２００は一対の支持軸３０に軸受部材２０８と共に回転自在に支持される。この状態で、軸受部材２０８の外周面に回転体２００の先端側コア部２０３及び基端側コア部２０５が当接する。これによって、軸受部材２０８と回転体２００とが電気的に導通する。
【００５６】
電源部３００はベース部材１１０の収納部１１３に収納されている。電源部３００は、図１７及び図１８に示すように、太陽光発電パネル３０１、端子押さえ部材３０２、第１端子３０４、及び第２端子３０７を有している。電源部３００は、これら太陽光発電パネル３０１、端子押さえ部材３０２、第１端子３０４、及び第２端子３０７を一体に組上げてからベース部材１１０に取り付けられるため、組み付けが容易である。
【００５７】
太陽光発電パネル３０１は平面視略矩形状の板状をなしている。太陽光発電パネル３０１は、長手方向の両端部がそれぞれ電極とされており、第１端子３０４が接続されている端部が負極、第２端子３０７が接続されているが正極とされている。端子押さえ部材３０２は、図１７及び図１８に示すように、裏面中央部にボス３０２Ａが形成されている。ボス３０２Ａには係合孔Ｌ４が形成されている。この係合孔Ｌ４には、組み付け時には、図１８に示すように、ベース部材１１０側から挿通される固定部材Ｆ４が係合する。ボス３０２Ａは、電源部３００が収納部１１３に収納された状態において収納部１１３の底壁の凹部１１３Ｂに挿入される。ボス３０２Ａは、凹部１１３Ｂの底壁に表裏方向に貫通して形成された貫通孔Ｔ４に裏方向から挿通される固定部材Ｆ４が係合孔Ｌ４に係合する。このように、貫通孔Ｔ４に裏方向から挿通される固定部材Ｆ４がボス３０２Ａの係合孔Ｌ４に係合することによって、電源部３００が収納部１１３内に固定される。また、ボス３０２Ａには第２パッキンＰ２が外嵌されている。第２パッキンＰ２は、図１８に示すように、電源部３００が収納部１１３に収納された状態において、端子押さえ部材３０２の裏面と凹部１１３Ｂの周縁とに液密に当接し、凹部１１３Ｂの貫通孔Ｔ４からの収納部１１３内への浸水を防止している。
【００５８】
第１端子３０４は表面にニッケルメッキを施したリン青銅板から形成されている。第１端子３０４は、図１７及び図１８に示すように、第１接続部３０５と、第１押さえ部３０６とを有している。第１接続部３０５は、クランク状に折り曲げられて太陽光発電パネル３０１の長手方向の一端面に接触した状態で、太陽光発電パネル３０１の裏面に固定されている。これにより、第１端子３０４は、太陽光発電パネル３０１の負極と電気的に導通している。第１押さえ部３０６は、第１接続部３０５から連続して太陽光発電パネル３０１の長手方向の他端に向かって片持ち状に延出した形態である。第１押さえ部３０６は、その延出端部側が通電軸３１との接点部とされている。また、第１押さえ部３０６は、短手方向の中央にスリット３０６Ａが形成されて二股に分岐した形態とされている。これにより、第１端子３０４は、電源部３００を収納部１１３内に収納して固定すると、収納部１１３の底壁に露出する２つの通電軸３１のそれぞれに対して、二股の第１押さえ部３０６が好適に弾性接触する。例えば、第１押さえ部にスリットが形成されていない場合、組付け誤差による傾きや製品誤差によるひねり等が生じると、２つの通電軸の両方に対して接点が取れない場合が生じてしまう可能性がある。その点を解消するために、スリット３０６Ａを形成して二股の形状とした第１押さえ部３０６としている。このように、第１端子３０４は、太陽光発電パネル３０１と通電軸３１とを確実に導通することができるようにされている。
【００５９】
第２端子３０７は、第１端子３０４と同様に、表面にニッケルメッキを施したリン青銅板から形成されている。第２端子３０７は、図１７及び図１８に示すように、第２接続部３０８と、第２押さえ部３０９とを有している。第２接続部３０８は、クランク状に折り曲げられて太陽光発電パネル３０１の長手方向の他端面（第１端子３０４が接触している端面の反対側の端面）に接触した状態で、太陽光発電パネル３０１の裏面に固定されている。これにより、第２端子３０７は、太陽光発電パネル３０１の正極と電気的に導通している。第２押さえ部３０９は、第２接続部３０８から連続して太陽光発電パネル３０１の長手方向の一端に向かって片持ち状に延出した形態であり、その延出端部側が第１通電用ねじＳ１の先端面との接点部とされている。第２端子３０７は、電源部３００を収納部１１３内に収納して固定すると、収納部１１３の底壁に弾性接触する。この状態で、ベース部材１１０の裏方向から第１通電用孔Ｈ１に第１通電用ねじＳ１を螺合すると、第１通電用ねじＳ１の先端部が収納部１１３の底壁から突出する。これにより、第２押さえ部３０９が第１通電用ねじＳ１に好適に弾性接触する。このように、第２端子３０７は、太陽光発電パネル３０１と第１通電用ねじＳ１とを確実に導通することができるようにされている。
【００６０】
美容器１は、ハンドル１００を把持して回転体２００を皮膚に当てて転がすことによってマッサージ効果等の美容効果を付与する。また、美容器１は、ハンドル１００を把持して回転体２００を皮膚に当接させることでハンドル１００と回転体２００との間に身体を介在させた回路が形成され、電源部３００による微弱電流を回転体２００から皮膚に流してマッサージ効果等の美容効果を高めている。
【００６１】
次に、美容器１の作用について説明する。
美容器１は、組み立てに際し、まず、電源部３００をベース部材１１０の表方向から収納部１１３に収納し、レンズ１５０を取り付ける。具体的には、ベース部材１１０の表側面に開口する収納部１１３に電源部３００を収納する。この時、端子押さえ部材３０２のボス３０２Ａを収納部１１３の底壁の凹部１１３Ｂに挿入する。そして、収納部１１３の開口周縁の溝部１１４に第１パッキンＰ１を嵌め込む。また、レンズ１５０の湾曲部１５１Ｃの裏面側（又はベース部材１１０側）に両面テープ１５６を貼付する。この状態で、レンズ１５０の平板状部１５１Ａを平坦面１１３Ａに載置し、平板状部１５１Ａに設けられた各係合凸部１５２を各係合凹部１１１Ａに係合させるとともに湾曲部１５１Ｃに設けられた各嵌合凸部１５３を各係合凹部１１１Ｂに係合させる（図６、図１５参照）。そして、係合凸部１５２及びフランジ部１５４の各貫通孔Ｔ１に固定部材Ｆ１を挿入してベース部材１１０の各係合孔Ｌ１に係合する。
【００６２】
これにより、ベース部材１１０との間に第１パッキンＰ１が介在した状態で、ねじである複数（図５中５つ）の固定部材Ｆ１に固定されたレンズ１５０によって収納部１１３の開口が液密に封止される。また、レンズ１５０は、ねじである固定部材Ｆ１によって、第１パッキンＰ１を押圧した状態で平坦面１１３Ａに強固に固定されるため、収納部１１３の開口の確実な防水が実現される。また、電源部３００は太陽光発電パネル３０１を有して構成されている。太陽光発電パネル３０１は、レンズ１５０を透過する光によって発電するため、電池等とは異なり、充電等のための交換が必要ない。したがって、最初の組み付け時に確保した収納部１１３内の防水性が保持される。
なお、美容器１の組み立てにおいて、上記工程は表方向の作業であったが、以降の工程では、裏方向からの作業により組み立て可能である。
【００６３】
次に、ベース部材１１０の裏方向から、貫通孔Ｔ４に固定部材Ｆ４を挿入してボス３０２Ａの係合孔Ｌ４に係合する。これにより、収納部１１３内に電源部３００が固定される（図１８参照）。この時、ねじである固定部材Ｆ４が係合孔Ｌ４に螺合することによって、電源部３００が収納部１１３の底壁側に引き込まれる。すると、電源部３００の第１端子３０４の第１押さえ部３０６は、収納部１１３の底壁に露出する通電軸３１に弾性変形しつつ当接する。これにより、電源部３００の一方の電極に通電軸３１が電気的に導通する。また、第１押さえ部３０６がスリット３０６Ａにより二股に分岐して形成されていることにより、２つの通電軸３１のそれぞれに好適に弾性接触することができる。更に、ボス３０２Ａに外嵌された第２パッキンＰ２が収納部１１３の底壁に圧接されることにより、貫通孔Ｔ４から収納部１１３内への水の浸入が防止される。また、凹部１１１Ｋに防水栓４を嵌め込み、通電軸３１からの収納部１１３への水の浸入を防止する。
【００６４】
次に、板金部材１７０の係合孔１７０Ｂを肉抜き凹部１１１Ｆの底壁から突出するボス１１７に挿通し、板金部材１７０を肉抜き凹部１１１Ｆの底部に配置する。そして、第１通電用ねじＳ１を係合孔１７０Ａに挿通し、第１通電用孔Ｈ１に螺合して固定する（図１６参照）。これにより、第１通電用ねじＳ１の頭部が板金部材１７０の係合孔１７０Ａ周縁に当接し、板金部材１７０との電気的導通が確保される。また、この状態において、第１通電用ねじＳ１は、その先端が第１通電用孔Ｈ１から収納部１１３内に突出し、第２端子３０７の第２押さえ部３０９を押圧した状態で当接する。これにより、第１通電用ねじＳ１を介して、板金部材１７０が第２端子３０７に電気的に導通する。また、第１通電用ねじＳ１の軸部には第３パッキンＰ３が外嵌されている。これにより、第１通電用孔Ｈ１からの収納部１１３内への水の浸入が防止される。
【００６５】
なお、上記工程の前段階において、収納部１１３は、第１通電用孔Ｈ１のみが内部の空間としており、ベース部材１１０の表側面の開口及び裏側面の貫通孔Ｔ４は液密に保持された状態となっている。このため、第１通電用ねじＳ１を組み付ける前の第１通電用孔Ｈ１を利用して、収納部１１３内の液密検査を行うことができる。
【００６６】
次に、第１表カバー１２０及び第２表カバー１３０と、レンズ１５０が組み付けられたベース部材１１０とを組み付ける。具体的には、まず、ベース部材１１０の外面（表側面）を、第２表カバー１３０の内面（裏側面）に嵌め込む。更に、このように第２表カバー１３０が取り付けられたベース部材１１０を第１表カバー１２０の内面（裏側面）に嵌め込む。これにより、レンズ１５０の凸部１５１Ｂが開口部１２０Ａ，１３０Ａから露出するとともに、この凸部１５１Ｂの周縁に配された固定部材Ｆ１が隠蔽された形態で、ベース部材１１０の表側面の略全体が覆われる。また、この状態において、第２表カバー１３０の係合凸部１３４及びボス１３５がベース部材１１０の表側面の係合凹部１１１Ｃ，１１１Ｄにそれぞれ係合する。また、第２表カバー１３０の係合リブ１３６とレンズ１５０の係合リブ１５５とが係合するとともに、第１表カバー１２０の通電用のボス１２１が第２表カバー１３０の貫通孔１３２Ａ及びベース部材１１０の貫通孔１１１Ｅに挿通され、更に第２表カバー１３０の表側面の係合凹部１３２Ｂに第１表カバー１２０の固定用のボス１２２がそれぞれ係合する。そして、この状態で、固定部材Ｆ２をベース部材１１０の裏方向から各貫通孔Ｔ２にそれぞれ挿通し、係合孔Ｌ２に係合して固定する。
【００６７】
なお、上記工程では、レンズ１５０が組み付けられたベース部材１１０に、第２表カバー１３０、第１表カバー１２０の順に組み付ける例を示したが、第１表カバー１２０と第２表カバー１３０とを先に組み付けてから、ベース部材１１０の組立体と組み合わせるようにすることもできる。
【００６８】
次に、ベース部材１１０の裏方向から、第２通電用ねじＳ２を板金部材１７０の係合孔１７０Ｃに挿通して第２通電用孔Ｈ２に螺合し、板金部材１７０をボス１２１に固定する（図１６参照）。これにより、板金部材１７０が第２通電用ねじＳ２の頭部と通電用のボス１２１との間に挟持され、板金部材１７０と第１表カバー１２０との電気的導通が確保される。換言すると、電源部３００から、表カバー部材としての第１表カバー１２０に導通する通電経路は、ベース部材１１０の裏側面にて、第１表カバー１２０のボス１２１と、電源部３００に導通してベース部材１１０の裏側面に配索されて通電経路を形成する板金部材１７０と、を接続固定することで形成されている。その結果、板金部材１７０を介して、第１表カバー１２０と、電源部３００の正極との電気的導通が確保される。
【００６９】
このように、電源部３００の正極からの通電経路は、収納部１１３内からベース部材１１０の裏側面に引き出されて板金部材１７０を経由し、この板金部材１７０と、ベース部材１１０の裏側面に貫通した通電用のボス１２１に導通していることによって、第１表カバー１２０に導通している。このように、第１表カバー１２０と電源部３００の正極との電気的導通の確保は、ベース部材１１０の裏方向からの作業によって容易に行われる。
【００７０】
次に、板金部材１７０が組み付けられた肉抜き凹部１１１Ｆに栓部材１８０を嵌め込む。これにより、肉抜き凹部１１１Ｆ内の水の浸入し得る空間が埋められる。
【００７１】
そして、裏カバー１４０を組み付ける。具体的には、まず、裏カバー１４０を組み付け方向に対して僅かに傾けつつ、係合爪１４３を第２表カバー１３０の係合片１３０Ｄに係合させる。そして、裏カバー１４０の内面とベース部材１１０の外面とを合わせる。これにより、ベース部材１１０の裏側面の略全体が覆われ、第１表カバー１２０及び第２表カバー１３０を固定する固定部材Ｆ２が隠蔽される。また、この状態において、ボス１４４はベース部材１１０の係合凹部１１１Ｊに係合しているとともに，ボス１４５はベース部材１１０のボス１１７に突き合わせられている。そして、固定部材Ｆ３を裏カバー１４０の窪み部１４１底面から貫通孔Ｔ３に挿通し、係合孔Ｌ３に係合して固定する。
【００７２】
また、この状態において、挿入部１４２は、第２表カバー１３０側の挿入部１３３と合わせられて軸支持部１１２を覆った状態となっている。そして、この裏カバー１４０の挿入部１４２と第２表カバー１３０の挿入部１３３の先端にリング部材７１を嵌着する。これにより、挿入部１３３，１４２は、互いに合わせられた状態が保持されるとともに開きが防止され、がたつきが規制される。
【００７３】
最後に、化粧板１６０を窪み部１４１に嵌め込む。具体的には、化粧板１６０又は窪み部１４１の互いに対向する面のいずれか一方に両面テープ１６４を貼付しておき、化粧板１６０の係合突起１６１，１６２，１６３を窪み部１４１底壁の係合孔１４１Ｃ，１４１Ｄ，１４１Ｅにそれぞれ合わせて化粧板１６０を窪み部１４１に嵌め込む。これにより、裏カバー１４０をベース部材１１０に固定する固定部材Ｆ３が覆われる。
【００７４】
また、上述のように、レンズ１５０を固定する固定部材Ｆ１は、第１表カバー１２０及び第２表カバー１３０により隠蔽され、第１及び第２表カバー１２０，１３０を固定する固定部材Ｆ２は裏カバー１４０により隠蔽され、裏カバー１４０を固定する固定部材Ｆ３は化粧板１６０により隠蔽される。そして、化粧板１６０は固定部材を用いることなく固定される。これにより、美容器１は、ハンドル１００の組み付け用の固定部材であるねじが露出しない良好な外観となる。
【００７５】
また、各部材が組み合わせられた状態において、第１表カバー１２０と第２表カバー１３０との合わせ面は、第２表カバー１３０外面のリブ１３２Ｃによって線当たりした状態となり、第２表カバー１３０とベース部材１１０との合わせ面、及びベース部材１１０と裏カバー１４０との合わせ面は、ベース部材１１０の外周面のリブ１１６によって線当たりした状態となる。このため、ハンドル１００を把持した際の各合わせ面における軋み音の発生が抑制される。
【００７６】
回転体２００の組み付けは、まず、支持軸３０に軸受部材２０８を挿通し、与圧Ｃリング２０９及びＥリングＥを支持軸３０の先端の溝部３０Ａに嵌めて軸受部材２０８を抜け止め状態にする。その後、一体化された外殻部２０１、先端側コア部２０３及び基端側コア部２０５の開口に軸受部材２０８を挿入し、爪部２０８Ａを係止部２０５Ｂに係止させる。これにより、通電軸３１、支持軸３０、軸受部材２０８、先端側コア部２０３、基端側コア部２０５、及び外殻部２０１が電気的に導通される。すなわち、電源部３００の負極と回転体２００とが導通した状態となる。
【００７７】
次に、美容器１の使用例について説明する。
美容器１の使用者は、ハンドル１００を把持し、当接部としての一対の回転体２００を顔などの皮膚に当てて転動させることにより、皮膚及びその下部組織が刺激されて血行が良くなる等の美容的作用が発揮される。また、美容器１は、本発明に係る当接部として一対の回転体２００を備えているため、皮膚及びその下部組織を回転体２００の間で挟むように転動させることで、つまみ上げるような刺激を付与する効果が得られる。また、一対の分岐部１０１の間に逃がし空間１０５を形成し、その深さＤを、一対の回転体２００の外周面の最も狭い部位の間隔Ｗの１．５倍以上としているので、皮膚及びその下部組織をより深く回転体２００の間に挟み込むことができる。
【００７８】
また、美容器１の使用時には、ハンドル１００と回転体２００とが使用者の身体を介して電気的に導通した状態になる。そして、電源部３００の太陽光発電パネル３０１が、レンズ１５０を透過した光を受光して発電することにより、回転体２００から使用者の身体に微弱電流が流れて電気刺激を付与し、美容効果がより高められる。
【００７９】
また、美容器１の使用を中断するなどして、美容器１をテーブル等の平坦面に載置する場合には、図２に示すように、一対の回転体２００とハンドル１００とを載置面に当接させるようにして載置させることができる。この場合、ハンドル１００の当接部位は裏カバー１４０となる。裏カバー１４０は、ＡＢＳ樹脂製であり、その外面にはウレタン塗装が施されている。すなわち、絶縁体である裏カバー１４０が載置面に当接する。このため、回転体２００とハンドル１００との間の載置面を介しての短絡が回避され、漏電を防ぐことができる。
【００８０】
また、図２に示すように、美容器１は、ハンドル１００の分岐部１０１とは反対側の端部を第１表カバー１２０によって覆う構成としている。換言すると、美容器１は、第１表カバー１２０と裏カバー１４０との合わせ面のラインが、ハンドル１００の分岐部１０１とは反対側の端部の頂点を超えて裏側面に位置している。このため、美容器１を不意に落下させてしまったとしても、第１表カバー１２０と裏カバー１４０との合わせ面において落下の衝撃を受けることを回避することができる。このように、美容器１は、複数のカバー部材の互いの合わせ面のラインが端部の頂点に設定されている美容器と比較して、耐衝撃性が高められている。
【００８１】
以上より、実施例１の美容器１は、ハンドル１００と、当接部としての一対の回転体２００と、電源部３００と、を備えている。ハンドル１００は使用者に把持される。ハンドル１００はベース部材１１０及び表カバー部材としての第１表カバー１２０を有している。第１表カバー１２０は、導電性を有してベース部材１１０の表側面を覆う。回転体２００は、ハンドル１００に連結されているとともに、ハンドル１００が把持された状態で使用者の肌に当接されて美容効果を付与する。電源部３００は、ベース部材１１０に組み付けられるとともに、一方の電極としての正極が第１表カバー１２０に導通し、他方の電極としての負極が回転体２００導通している。ベース部材１１０には、表裏方向に貫通する貫通孔１１１Ｅが形成されている。第１表カバー１２０には、ベース部材１１０に対向する面である内面から突出して形成され、貫通孔１１１Ｅに挿通されたボス１２１が設けられている。そして、電源部３００の正極から第１表カバー１２０に導通する通電経路は、ベース部材１１０の裏側面に引き出されて第１表カバー１２０のボス１２１に導通している。
【００８２】
このように、実施例１の美容器１は、電源部３００の正極から第１表カバー１２０に導通する通電経路が以下のようにされている。すなわち、電源部３００からの導電経路は、収納部１１３内からベース部材１１０の裏側面に引き出され、ベース部材１１０の裏側面である肉抜き凹部１１１Ｆの底壁に配索された板金部材１７０を経由し、この板金部材１７０と、ベース部材１１０の裏側面に貫通した通電用のボス１２１とを接続することにより形成されている。これにより、美容器１は、第１表カバー１２０と電源部３００の正極との電気的導通の確保を裏方向から容易に行うことができる。また、導通の確保の有無は、表カバー部材の表方向から確認することなく、ボスへの通電経路の接続時に作業側面である裏方向から容易に確認することができる。
【００８３】
したがって、実施例１の美容器１は、組み付けが容易であるとともに、確実に導通を確保することができる。
【００８４】
また、ベース部材１１０は、表側面に開口して電源部３００を収納する凹状の収納部１１３を形成している。そして、美容器１は、この収納部１１３の開口を液密に封止する蓋部材としてのレンズ１５０を備えている。このように、美容器１は、表側のカバー部材とは別に蓋部材として機能するレンズ１５０を備えたことにより、表側のカバー部材を組み付ける前に、電源部３００が収納された収納部１１３内の防水性を確保することができる。
【００８５】
また、電源部３００は太陽光発電パネル３０１を有している。このため、電源部が電池等である場合とは異なり交換が不要であるので、最初の組み付け時に確保した収納部１１３内の防水性を保持することができる。
【００８６】
また、この美容器１は、一対の支持軸３０に軸受部材２０８を回転自在に取り付けた後、各回転体２００の外殻部２０１の開口から軸受部材２０８が取り付けられた各支持軸３０を挿入して押し込む。すると、各軸受部材２０８の爪部２０８Ａが各回転体２００の基端側コア部２０５の係止部２０５Ｂに係止し、軸受部材２０８と共に各回転体２００が各支持軸３０周りに回転自在に支持される。
【００８７】
このようにして組み立てられた美容器１は、ハンドル１００を把持して、顎から耳の下までの間や、唇の端から頬骨までの間、手や腕等の任意の箇所の肌に回転体２００を当接させ、往復移動するように回転体２００を回転させて使用することができる。
【００８８】
この美容器１は、電源部３００の太陽光発電パネル３０１の一方の電極に、第１端子３０４、通電軸３１、支持軸３０、及び軸受部材２０８を介して一対の回転体２００が電気的に導通し、太陽光発電パネル３０１の他方の電極に、第２端子３０７、第１通電用ねじＳ１、板金部材１７０、及び第２通電用ねじＳ２を介して、第１表カバー１２０が電気的に導通している。このため、この美容器１は、上述したように使用すると、第１表カバー１２０と回転体２００との間に身体を介在させた通電回路が形成され、回転体２００から微弱電流が皮膚へ流れ、皮膚への刺激の増進によりマッサージ効果等の美容効果を一層高めることができる。
【００８９】
本発明は上記記述及び図面によって説明した実施例１に限定されるものではなく、例えば次のような実施例も本発明の技術的範囲に含まれる。
（１）実施例１では、電源部が太陽光発電パネルを有して構成された形態を例示したが、これは必須ではない。本発明に係る電源部は、電池等の他の電源を備えて構成されていてもよい。
（２）実施例１では、電源部を収納する収納部をベース部材に形成する形態を例示したが、本発明に係る電源部は、ベース部に収納部を形成することなく、単にベース部材に組み付けられている形態であってもよい。
（３）実施例１では、収納部を液密に封止する蓋部材としてのレンズを備える形態を例示したが、これは必須ではない。蓋部材を備える場合には、収納部の開口を液密に封止する限り、その形態は限定されない。また、例えば、表カバー部材が蓋部材を兼用してもよい。
（４）実施例１では、当接部として、ベース部材の一端から先広がり状に延びる一対の支持軸に回転自在に支持された一対の回転体を例示したが、これは必須ではない。本発明に係る当接部としては、その形状、個数、配置形態等は特に限定されない。また、当接部は、回転体のように回転自在に支持されたものに限らず、固定的に配されたものであってもよい。
（５）実施例１では、ハンドルが、ベース部材、第１表カバー、第２表カバー、裏カバーを備えて構成された形態を例示したが、これは必須ではない。本発明に係るハンドルは、ベース部材と、導電性を有してこのベース部材の表側面を覆う裏カバーとを備える限り、その他の構成は特に限定されない。
（６）各部材の材質は実施例１で示したもの以外であってもよい。
（７）実施例１では、電源部から表カバー部材に導通する通電経路として、板金部材をねじ止めして形成する形態を例示したが、通電経路の構成はこれに限定されない。通電経路としては、例えば、リード線、フレキシブルプリント配線板（ＦＰＣ）、コネクタ、端子等の他の通電材料を用いて形成されたものであってもよい。
【符号の説明】
【００９０】
１…美容器
１００…ハンドル
１１０…ベース部材
１１３…収納部
１２０…第１表カバー（表カバー部材）
１２１…ボス
２００…回転体（当接部）
３００…電源部
３０１…太陽光発電パネル
【図１】
2020099414.tif 000003
【図２】
2020099414.tif 000004
【図３】
2020099414.tif 000005
【図４】
2020099414.tif 000006
【図５】
2020099414.tif 000007
【図６】
2020099414.tif 000008
【図７】
2020099414.tif 000009
【図８】
2020099414.tif 000010
【図９】
2020099414.tif 000011
【図１０】
2020099414.tif 000012
【図１１】
2020099414.tif 000013
【図１２】
2020099414.tif 000014
【図１３】
2020099414.tif 000015
【図１４】
2020099414.tif 000016
【図１５】
2020099414.tif 000017
【図１６】
2020099414.tif 000018
【図１７】
2020099414.tif 000019
【図１８】
2020099414.tif 000020